(57)【要約】 【課題】本発明は、開閉ケースを開放する機会を極力減らすと共に、搬送通路、合流受入口、ユニット間受け渡し箇所での紙幣詰まりを起こし難い紙幣搬送装置を提供する。【解決手段】隣接する紙幣搬送ユニットとジョイント部材を介して連結する遊技店に設置される紙幣搬送装置であって、前記紙幣搬送ユニットは、隣接の紙幣搬送ユニットと位置決め嵌合する接続ピンと、接続ピンが嵌合する穴と、隣接の紙幣搬送ユニットと連結固定するための施錠装置の本体部と、本体部と係脱自在となる係止部を設け、隣接の紙幣搬送ユニット同士を位置ずれなく連結固定を可能にした。【選択図】図２
2006160527.tif 000002
【特許請求の範囲】
【請求項１】
紙幣を挟持した状態で上流側から下流側へ搬送する搬送通路部と、
該搬送通路部の一端に搬送方向にスライド可能に取付けたジョイント部材と、
紙幣投入機に投入された紙幣を前記搬送通路部に合流させると共に駆動源を有する合流搬送駆動部とを備え、
隣接する紙幣搬送ユニットと前記ジョイント部材を介して連結する遊技店に設置される紙幣搬送装置であって、
前記紙幣搬送ユニットは、
隣接の紙幣搬送ユニットと位置決め嵌合する接続ピンと、接続ピンが嵌合する穴と、
隣接の紙幣搬送ユニットと連結固定するための施錠装置の本体部と、本体部と係脱自在となる係止部を設け、
隣接の紙幣搬送ユニット同士を位置ずれなく連結固定を可能にしたことを特徴とする紙幣搬送ユニット。
【発明の詳細な説明】
【技術分野】
【０００１】
本発明は、複数の遊技台（例えばパチンコ台など）の背面側に於て、紙幣投入機に投入された紙幣を搬送（回収）する紙幣搬送装置に関し、更に詳しくは紙幣の搬送通路を構成し、且つ紙幣の搬送通路の一部を開閉可能に成した紙幣搬送ユニットを複数連結して構成する紙幣搬送装置に関する。
【背景技術】
【０００２】
既に紙幣、硬貨兼用の台間玉貸機（以下、玉貸機と記す）が公知なものとして知られている。その中にあって、近年では千円紙幣はもとより、五千円、一万円紙幣が使用できる玉貸機も出現している。このような背景の中でそれら紙幣を確実に回収する紙幣搬送装置の果たす役割は大きい。
【０００３】
従来、この種の紙幣搬送装置としては、紙幣の挟持方向の一方に開口する基体ケースと、この基体ケースの開口を閉鎖する開閉自在な開閉ケースとから構成され、前記基体ケースに搬送用の無端丸ベルトが、前記開閉ケースには無端丸ベルトとの協働により紙幣を挟持して搬送する複数のローラがそれぞれ取り付けられている。そして、紙幣詰まりが発生した場合には、店員が前記紙幣搬送装置の開閉ケースを基体ケースに対して開放操作することにより、紙幣の挟持状態が解除され、挟持搬送通路内に詰まった紙幣の除去等が敏速に行える構造となっている。これは、例えばカールした紙幣や折れ曲がった紙幣など、種々いろいろな癖の紙幣が玉貸機に投入されるため、その紙幣詰まり時の作業性を考慮したが故である。
【０００４】
そして、紙幣投入機から供給される紙幣を複数配列した遊技台に沿って形成した搬送通路において挟持搬送する紙幣搬送装置は、従来から知られている（例えば、特許文献１、２、３参照。）。
【０００５】
【特許文献１】実願昭６３−３４７６１号（実開平１−１３８４８９号）のマイクロフィルム
【特許文献２】特開平１−２６１１３９号公報
【特許文献３】実願平３−１０８４３号（実開平４−１００１４４号）のマイクロフィルム
【発明の開示】
【発明が解決しようとする課題】
【０００６】
しかしながら、営業中において紙幣詰りが生じた場合、島端に設置された島管理機等の表示部に紙幣詰りのトラブル中であることを表示し、店員が直ちに修復作業を行なう。特に紙幣詰りのトラブルは営業中頻繁に発生するため最寄りにいる店員がその作業にあたるが、誰にでも簡単に開閉ケースを基体ケースに対して開放できる構造のため、搬送されてくる千円紙幣はもとより五千円や一万円の高額紙幣を容易に抜きとることができ、また、抜きとるような不正行為をしても誰が抜きとったかわからないため店員に出来心を抱かせるものであり、早期にその不正防止対策されたものが望まれていた。即ち、従来の紙幣搬送装置は、作業性（短時間で修復可能）を重視したものであって、開閉ケースの開放中に行われる動作（修復作業）までは管理がいきとどかない構造であった。
【０００７】
そこで、開閉ケースを開けると上流側に連結されている紙幣搬送装置の搬送が全て停止して店員が紙幣を抜き取る不正行為を防止するようにしたものも開示されているが、紙幣搬送装置が停止している間は玉貸機の貸出も中止となるため上流側の客はその間、貸玉の購入ができなくなり、客に多大な迷惑をかけてしまうと共に、店側にとっても売上減となっていた。また、開閉ケースを開けるとその旨を報知する構造も考えられるが、構造が大掛かりなものとなり、コストアップを招くものである。
【０００８】
本発明の目的は店員のモラルの向上、並びに出来心を防止し、客へのサービスの低下、コストアップの抑制を図った紙幣搬送装置を提供するものである。また、本発明は、開閉ケースを開放する機会を極力減らすと共に、搬送通路、合流受入口、ユニット間受け渡し箇所での紙幣詰まりを起こし難い紙幣搬送装置を提供することを目的とする。更に、本発明は、遊技店の島へ取り付け易い紙幣搬送装置を提供することを目的とする。
【課題を解決するための手段】
【０００９】
本発明は上記に鑑み提案されたものであって、請求項１に記載した発明は、紙幣を挟持した状態で上流側から下流側へ搬送する搬送通路部と、該搬送通路部の一端に搬送方向にスライド可能に取付けたジョイント部材と、紙幣投入機に投入された紙幣を前記搬送通路部に合流させると共に駆動源を有する合流搬送駆動部とを備え、隣接する紙幣搬送ユニットと前記ジョイント部材を介して連結する遊技店に設置される紙幣搬送装置であって、前記紙幣搬送ユニットは、隣接の紙幣搬送ユニットと位置決め嵌合する接続ピンと、接続ピンが嵌合する穴と、隣接の紙幣搬送ユニットと連結固定するための施錠装置の本体部と、本体部と係脱自在となる係止部を設け、隣接の紙幣搬送ユニット同士を位置ずれなく連結固定を可能にしたものである。
【発明の効果】
【００１０】
以上説明したように、請求項１に係る発明によれば、位置決め用の嵌合部材と、旋錠装置によって、紙幣搬送ユニット同士の連結が確実に行える。即ち、紙幣の搬送通路を一連の確かなものとして、搬送中の紙幣がきわめて詰まり難い、実用的価値がきわめて高いものである。
【発明を実施するための最良の形態】
【００１１】
以下、図面に基づいて本発明の実施形態を説明する。図１は本発明の隔台タイプ（遊技台２台置きに台間にあるいは台の上方に玉貸機が配置されている）の紙幣搬送装置（紙幣搬送ユニット）１０の一実施形態を示している。図２は全台タイプ（遊技台１台置きに台間にあるいは台の上方に玉貸機が配置されている）の紙幣搬送装置（紙幣搬送ユニット）１０の一実施形態を示している。尚、以下の説明において、紙幣搬送装置１０と称した場合、複数連結して紙幣搬送装置全体を構成するための紙幣搬送ユニットを示すものとする。
【００１２】
これらの実施形態の紙幣搬送装置１０は、合流搬送駆動部１００と搬送通路部２００とから構成されている。搬送通路部２００は、基体ケース２１０と開閉ケース２２０とから成り、その先端にはジョイント部材３００が取り付けられている。そして、上記紙幣搬送装置１０を複数連結して遊技店の島に配設される紙幣搬送装置全体が構成される。
【００１３】
図３に示すように、各紙幣搬送装置１０、１０、……は、２列の遊技台１、１、……の背面側の空間に水平方向に、且つ、その合流搬送駆動部１００が両側の玉貸機２、２に投入された紙幣Ｓ２を受け入れられる位置になるように配置され、ジョイント部材３００を介して隣りの紙幣搬送装置１０に連結する。そして、遊技店の島の長さに対応する長さになるように複数連結されている。尚、各紙幣搬送装置１０の島に対する取付については後述する。
【００１４】
合流搬送駆動部１００は、上流側の紙幣搬送装置１０から送り出された紙幣Ｓ１、並びに玉貸機２に投入された紙幣Ｓ２を取り込んで搬送通路部２００へ送り出すものであって、図１ないし図４に示すように、中空長方形状のフレーム１１０の対向する側壁１１１ａ、１１１ｂの縦方向の長穴１１２の上流側縁部に、第１の受入れガイド部材１２０の取付部１２１が固定され、長穴１１２の下流側縁部に第２の受入れガイド部材１３０の取付部１３１が固定されている。
【００１５】
図４及び図５に示すように、第１の受入れガイド部材１２０は、上流側の紙幣搬送装置１０からの紙幣Ｓ１を受け入れてガイドする第１の通路Ａを形成するための第１通路形成板１２２と、この第１通路形成板１２２の中間部において連設された、側方の玉貸機２からの紙幣Ｓ２を受け入れてガイドする第２の通路Ｂを形成するための、湾曲した第２通路形成板１２３とを備えていて、前記したように、この第２通路形成板１２３の先端の取付部１２１に於て長穴１１２の縁部に固定されている。第１通路形成板１２２の水平方向の前端側及び後端側に切欠き１２４及び１２５が設けられている。
【００１６】
第１の受入れガイド部材１２０は、第１通路形成板１２２の上流側端部に、上流側に向かって僅かに開くように傾斜したテーパー部１２２ａを有している。また、このテーパー部１２２ａの上下端は、上流側に向かって上下の幅が漸減する傾斜切欠部１２２ｂを備えている。さらにテーパー部１２２ａの先端からは屈曲部１２２ｃが側方へ屈曲されていて、フレーム１１０の側壁１１１ａ、１１１ｂの上流端部側の内側に嵌まり込んでいる。
【００１７】
このように、第１通路形成板１２２の上流側端部を、従来のように大きく半円形にカールして開いた形状にする代わりに、図４に示すように小さく開くテーパー部１２２ａの形状にしたのは、次の理由からである。
【００１８】
即ち、図６に点線で示すように、従来の大きく半円形にカールして開いた受入口２０１の場合には、先端にシワやカールのある紙幣Ｓ１が来ると、紙幣Ｓ１の先端がＷ方向へ逸れて受入口２０１で紙幣詰まりを生じる恐れがあるのに対し、図６で実線で示すように僅かに開くテーパー形状の場合には、紙幣Ｓ１のカールした先端が当たってもそのまま矢印Ｒの正しい方向へ案内されるため受入口２０１付近で紙幣詰まりが生じることがなくなる。
【００１９】
また、第１通路形成板１２２の上流側先端を、図７に一点鎖線で示すように水平とせずに、上下端に斜めの傾斜切欠部１２２ｂを設けたのは次の理由からである。即ち、上下端が水平であると、上下角部がカールまたは角折れした紙幣が来ると、そのまま受入口２０１から進入して紙幣詰まりを生じ易いが、実線で示すように斜めの斜辺としたことで、この斜辺によって上下角部のカールまたは角折れした部分が起こされて平らになり、その結果、紙幣詰まりが生じなくなる。
【００２０】
第２の受入れガイド部材１３０は、図４、図８に示すように取付部１３１と、第１の受入れガイド部材１２０の第２通路形成板１２３に沿って湾曲した通路形成板１３２とから成り、水平方向の切欠１３３を備えている。このように、第１の受入れガイド部材１２０の第１通路形成板１２２とによって、上流側の紙幣搬送装置１０からの紙幣Ｓ１を受け入れてガイドする第１の通路Ａが形成され、第１の受入れガイド部材１２０の第２通路形成板１２３と、第２の受入れガイド部材１３０の通路形成板１３２とによって、玉貸機２からの紙幣Ｓ２を受け入れてガイドする第２の通路Ｂが形成されている。
【００２１】
そして、図４に示すように、第２の受入れガイド部材１３０の通路形成板１３２は下流側へ長く延びて、搬送通路部２００内へ突出していると共に、第１の受入れガイド部材１２０の下流側先端部１２０ａは、第２の受入れガイド部材１３０の下流側の奥深くまで延設された延設部を構成している。
【００２２】
このように、下流側先端部１２０ａが奥深く延設され、且つ、極めて狭くなっているため、第２の通路Ｂ内に玉貸機２から通路形成板１３２の先端に達するまで進入したまま待機している紙幣Ｓ２に、第１の通路Ａから来た紙幣Ｓ１が干渉されて紙幣詰まりを生じる恐れがなくなる。また、狭い第１の通路Ａを進むため、紙幣Ｓ１にシワなどがあっても、そのまま、まっすぐに紙幣詰まりを生じることなく進行できる。更に、第２の通路Ｂに於て、第２の受入れガイド部材１３０の通路形成板１３２には、後述する駆動ローラ１６０ａ、１６０ｂ、無端丸ベルト１６１、摩擦リング１６２が進入できる切欠き１３３が設けられている。
【００２３】
フレーム１１０の底壁には、図１０に示すようなにモータユニット１４０が固定されている。モータユニット１４０は配線ボックス１４１とモータ１４２とから成る。配線ボックス１４１はモータ１４２の駆動軸１４３を水平方向に受け入れる通路部１４４と、その下面にモータ１４２の取付板１４５の角部１４５ａ、１４５ｂを水平方向に受け入れて支持する支持部１４６ａ、１４６ｂを有している。従って、モータ１４２は、その取付板１４５を水平方向に支持部１４６ａ、１４６ｂに差し込んで取付板１４５の前側の角部１４５ａ、１４５ｂを支持部１４６ａ、１４６ｂにて支持し、また取付板１４５の後側の角部１４５ｃ、１４５ｄを配線ボックス１４１の下面から、固定板１４７を用いてネジ１４９で固定する。
【００２４】
このため、図示の実施形態では、固定板１４７に起立片１４７ａを形成すると共に、取付板１４５の取付穴１４５ｃ′及び１４５ｄ′に対応する突起１４７ｃ及び１４７ｄが形成してある。そして、取付板１４５の前側の角部１４５ａ、１４５ｂを支持部１４６ａ、１４６ｂに差し込んで支持させ、また、固定板１４７の突起１４７ｃ及び１４７ｄを取付穴１４５ｃ′及び１４５ｄ′に夫々嵌合させると共に、起立片１４７ａの上端を通路部１４４の内面に形成した溝部（図示せず）に挿入し、固定板１４７の通孔１４７ｅ，１４７ｆに通したネジ１４９を配線ボックス１４１に締着して固定している。このため、起立片１４７ａが通路部１４４の開口部を塞ぐと共に、モータ１４２を固定板１４７全体で強固に保持し、また位置決めも行なわれ、作業性がきわめて良い。しかも、モータ１４２が故障した場合には、前記ネジ１４９を緩めて搬送路方向に引き出すことによって、遊技台１の背面側の狭い島内部の空間であっても容易に修理あるいは交換を短時間で済ますことができる。尚、前記ネジ１４９を所謂化粧ネジにすれば、ドライバー等の工具を用いることなく作業ができる。
【００２５】
フレーム１１０の底面と上壁１１０ａ間には１つの駆動軸１７０（図１１参照）が垂直方向に回転自在に取り付けられている。底壁の下方に於て、駆動軸１７０の下端に歯車（図示せず）が固定されていて、モータ１４２の駆動軸１４３に固定された歯車１４８がこの歯車に噛み合って、モータ１４２の回転は駆動軸１７０に伝達される。
【００２６】
また、図１１に示すようにフレーム１１０の上壁１１０ａと底壁間には、同様に垂直に２つの従動軸１７１、１７２が回動自在に取り付けられていて、フレーム１１０の上壁１１０ａの上方に於て、駆動軸１７０、従動軸１７１に固定された同一径のプーリ１７３、１７４間に装着されたベルト１７５によって駆動軸１７０と同一方向に同一速度で従動軸１７１は回転する。また、駆動軸１７０と従動軸１７２には互いに噛み合った同一歯数の歯車１７６、１７７が固定されていて、従動軸１７２は逆方向に同一速度で回転する。
【００２７】
従動軸１７１は、図４に示すように、第１の受入れガイド部材１２０より僅かに側壁１１１ａ側に位置して、中間部に、即ち、第１の受入れガイド部材１２０の第１通路形成板１２２の水平方向の切欠き１２４に対応した位置に於て、プーリ１５０が固定されている。プーリ１５０は、上下方向の中央に於て環状溝を有し、この環状溝にゴムなどの摩擦体からなる無端丸ベルト１５１が外方に突出した状態で取り付けられていて、第１の通路Ａ内に僅かに突出している。尚、全台タイプの紙幣搬送装置１０にあっては、プーリ１５０には環状リングなどが取り付けられる。
【００２８】
これに対向して、フレーム１１０の側壁１１１ｂに固定されたローラベース１５２に、外周に摩擦体を有する圧接ローラ１５３が回転自在に軸１５４によって取り付けられている。この軸１５４はバネ（図示せず）によってプーリ１５０側へ付勢されているため、第１の通路Ａに於て回転駆動するプーリ１５０の無端丸ベルト１５１に圧接ローラ１５３は圧接して回転する。このため、上流側の紙幣搬送装置１０から送り出された紙幣Ｓ１は、第１の通路Ａに於てプーリ１５０の無端丸ベルト１５１と圧接ローラ１５３との間に狭持されて取り込まれる。
【００２９】
駆動軸１７０には、第２の通路Ｂの第２の受入れガイド部材１３０の通路形成板１３２より僅かに外方に位置していて、その上下方向の中間部、即ち、通路形成板１３２の切欠き１３４に対応した位置に於て、駆動ローラ１６０ａが第２の通路Ｂ内突出した状態で固定されている。この駆動ローラ１６０ａには、後述する基体ケース２１０の複数のプーリ間に架け渡される無端丸ベルト１６１が装着されている。そして前記駆動ローラ１６０ａの無端丸ベルト１６１に対向して、板バネ１６３の先端に送りローラ１６４が第１の受入れガイド部材１２０の前端側切欠き１２４より突出した状態で取り付けられている（図９参照）。
【００３０】
従来の搬送装置では、このような送りローラ１６４がなく、紙幣の搬送力が弱かった。従って、従来装置では、第２の通路Ｂ内の紙幣Ｓ２が取り込まれない場合があり、特に腰のない紙幣やシワになってアコーデオン状になった紙幣等が詰まり易く、トラブルの原因になっていた。
【００３１】
そこで、本実施形態は、合流受入口での紙幣詰まりをなくすことを目的としたもので、上流からの紙幣Ｓ１を挟持搬送する第１の搬送通路Ａと、玉貸機２からの紙幣Ｓ２を搬送する第２の搬送通路Ｂとが合流する合流搬送駆動部１００に於て、駆動源に連絡した駆動ローラ１６０ａに対して、付勢手段を備える送りローラ１６４を揺動可能に圧接させている。即ち、前記したように駆動ローラ１６０ａに巻装した無端丸ベルト１６１に圧接する送りローラ１６４を設けて、上記のような紙幣であっても確実にキャッチ可能とした。そして、本実施形態では、玉貸機２から第２の通路Ｂへ送り出された紙幣Ｓ２は、上記送りローラ１６４によって無端丸ベルト１６１に押し付けられ、挟持搬送されるため、取り込みが確実となる。尚、無端丸ベルト１６１に代えて平ベルト等を使用してもよい。
【００３２】
また、図示の実施形態では、上流からの紙幣Ｓ１を挟持搬送する第１の搬送通路Ａと、玉貸機２からの紙幣Ｓ２を搬送する第２の搬送通路Ｂとが合流する合流搬送駆動部１００に於て、第２の搬送通路Ｂの終端を、駆動源に連絡した駆動ローラ１６０ａに対して接近させる受入ガイド１２６を設けた。即ち、本実施形態では、上記送りローラ１６４の外周面と無端丸ベルト１６１の接点に向けてリブ状に突出する受入ガイド１２６が設けてある。この受入ガイド１２６は、図５，図９に示すように、第１の受入れガイド部材１２０に一体的に設けられ、送りローラ１６４の上下に位置すると共に、駆動ローラ１６０ａに対向して一対に設けてある。
【００３３】
上記のような受入ガイド１２６によれば、玉貸機２から第２の搬送通路Ｂへ送り出された紙幣Ｓ２の先端がたとえカールしていても紙幣Ｓ２の先端が折れることなく、当該紙幣Ｓ２を送りローラ１６４と無端丸ベルト１６１との接点方向に確実に誘導して送りローラ１６４の食いつきを良好にすることができる。即ち、玉貸機２から送り込まれた紙幣Ｓ２を、搬送通路部２００へ確実に合流させることができる。
【００３４】
また前記と同様に第２従動軸１７２は、第２の通路Ｂの第２の受入れガイド部材１３０の通路形成板１３２より僅かに外方に位置していて、第１の従動軸１７１と同一高さに第２の通路Ｂに突出した状態で駆動ローラ１６０ｂが固定されている。そして駆動ローラ１６０ｂの環状溝にはゴムなどの摩擦体から成る摩擦リング１６２が嵌着されていて、摩擦リング１６２は第２の通路Ｂに突出している。そして摩擦リング１６２に対向して、送りローラ１６４が板バネ１６３を介して第１の受入れガイド部材１２０の前端側切欠き１２４より突出した状態で取り付けられている。このため、玉貸機２から送り出された紙幣Ｓ２は送りローラ１６４と摩擦リング１６２とで上記と全く同様の原理で確実に挟持されて取り込まれる。
【００３５】
フレーム１１０の上壁１１０ａには、ギヤカバー１８０が取り付けられている。このギヤカバー１８０の上流側には、上流側の紙幣搬送装置１０の開閉ケース２２０の開放を抑止する後述する旋錠装置５００の係止部５１０が突出して設けられ、本体部５２０の係止穴５０１と係脱する（図２３参照）。また、図２２のように、下流側先端には開閉ケース２２０の上流側端部の上面を押さえ、該開閉ケース２２０の取り外しを規制するように成した係止片１８１が形成されている。尚、図１に示す隔台タイプ用紙紙幣搬送装置１０にあっては、係止片５１０が係止片１８１と同様、上流側の搬送通路部２００の開閉ケース２２０の上面を押さえ、該開閉ケース２２０の着脱を規制している。
【００３６】
合流搬送駆動部１００のフレーム１１０を構成する側壁１１１ａには、図４に示すように屈曲板１１４が突設されていて、この屈曲板１１４に搬送通路部２００を構成する断面がほぼコ字状の第１基体ケース２１０ａが固定されている。
【００３７】
搬送通路部２００は、図１３で示すように、第１基体ケース２１０ａと、この第１基体ケース２１０ａに揺動自在に取り付けられる第２基体ケース２１０ｂとから成る基体ケース２１０と、該基体ケース２１０に上方側に開閉自在に取り付けられた開閉ケース２２０とから成る。
【００３８】
第１基体ケース２１０ａの側壁２１１ａの内面には、プーリレール２３０が水平方向に固定され、このプーリレール２３０を構成する上板２３０ａと下板２３０ｂとの間には、上下方向の軸２３２によって複数のプーリ２３１が回転自在に取り付けられていて、前記合流搬送駆動部１００に於ける駆動軸１７０のプーリ１６０ａ及びテンションローラ１９０と、第１基体ケース２１０ａの各プーリ２３１とに、前記無端丸ベルト１６１が架け渡されている。
【００３９】
また、本実施形態は、搬送通路での紙幣詰まりをなくすことを目的としたもので、紙幣を挟持搬送する搬送通路をローラレール２６０と協働して構成するプーリレール２３０の搬送通路側の少なくとも上角部を面取して搬送通路の上側を拡幅させた。即ち、上記プーリレール２３０の搬送通路側の角部、即ちプーリレール２３０を構成する上板２３０ａの自由端側の上角部、及び下板２３０ｂの自由端の側下角部を面取して傾斜案内面２３３が形成してある。このため、プーリレール２３０は、高さ方向のほゞ中央部分が膨出した形状になっている。そこで、このプーリレール２３０がローラレール２６０との間に形成する紙幣の搬送通路は、上端部分が広く、中央で一旦狭まり、下端部分で再び広がるようにしたのは、次の理由からである。
【００４０】
後述するように、開閉ケース２２０を開放して、詰まり紙幣を除去した場合、この紙幣を搬送通路に戻さなければならない。即ち、この紙幣を戻さないと、玉貸機２が記憶する売り上げデータ（入金データ）と紙幣搬送装置１０の端部に設置した島管理機内のスタッカで保管する現金とが一致しなくなってしまう。
【００４１】
そこで、除去した紙幣を再び搬送通路に戻す訳であるが、従来装置にあっては、プーリレール２３０の角部がほゞ矩形に形成されていたので、紙幣の再挿入が困難であった。しかも、挿入時に無端丸ベルト１６１の裏側に入ってしまうことが多く、紙幣を痛めてしまう事故が多発していた。
【００４２】
一方、本実施形態によれば、上記プーリレール２３０の角部を面取して傾斜案内面２３３が形成してあるので、この傾斜案内面２３３によって紙幣を搬送通路である無端丸ベルト１６１の外側へ案内することができ、復旧作業（再挿入）が容易であると共に、紙幣を痛めることがなくなる。尚、図示の実施形態でプーリレール２３０の下側も面取してあるのは、製作上、上下対称と成し、どちら側でも使えるようにしたためである。
【００４３】
第１基体ケース２１０ａの底壁２１２に取り付けた第１金具２４０の係合孔２４０ａに、第２基体ケース２１０ｂの側壁２１１ｂの下縁に取り付けた第２金具２５０の係合突起２５０ａを嵌脱自在に係合させて、この係合孔２４０ａに係合させた係合突起２５０ａを支点にして、第２基体ケース２１０ｂがこの係合孔２４０ａを中心に第１基体ケース２１０ａに対して回動自在となっている。
【００４４】
尚、前記した第１金具２４０は、図示していないケーブルの受具を兼ねている。即ち、前記合流搬送駆動部１００に設けたモータ１４２に電力を供給する電源ケーブルや種々の制御信号を中継する信号ケーブル等を束ねて散乱しないように紙幣搬送装置１０に沿って止着処理する受具になっている。
【００４５】
このような受具を別体の第１金具２４０として設け、従来装置のように切起により形成していないのは、次のような理由による。即ち、この種の装置は、一般に軽量化を図るためアルミニウム板が利用されている。従って、従来の切起部に於てケーブルの止着処理を数回繰り返すと、切起部が折れてしまい使いものにならなくなっていたためである。
【００４６】
一方、本実施形態のように、切起ではなく別体として設けておけば、繰り返し止着処理を行なっても、破損することがない。しかも、万一破損しても交換が可能である。また、別体であるので、自由な形状に形成することができ、ケーブルＫの入口部分２４１を狭めておくことにより、ケーブルＫの外れも防止可能となる。
【００４７】
また、この実施形態においては、第１金具２４０に穿設した係合孔２４０ａを大きく形成すると共に、係合突起２５０ａを途中で折り曲げている。このため係合突起２５０ａの係合作業が容易になると共に、半開き状態で係止させておくこともできるし、抜き差しもでき、セット完了後の位置決めも正確になり、作業性が著しく向上する。
【００４８】
第２基体ケース２１０ｂの側壁２１１ｂの内面には、第１基体ケース２１０ａのプーリレール２３０と対向する高さに於て、ローラレール２６０が固定され、このローラレール２６０に各プーリ２３１に対向して各圧接ローラ２６１が軸２６２によって回動自在に、且つ、バネ２６３によってプーリ２３１側へ付勢されて取り付けられている。
【００４９】
このように第１基体ケース２１０ａ側の各プーリ２３１の無端丸ベルト１６１に、第２基体ケース２１０ｂ側の圧接ローラ２６１が圧接されている。このため、合流搬送駆動部１００から送り出された紙幣は厚さ方向から無端丸ベルト１６１と圧接ローラ２６１に挟持されてスムーズに搬送されている。
【００５０】
そして、合流搬送駆動部１００側に最も近いプーリ２３１ａ及び圧接ローラ２６１ａは、図１２（Ｂ）に示すように、玉貸機２から送り出されて待機状態の紙幣Ｓ２の先端位置より僅かに下流側に位置するように配置されている。このため、待機状態の玉貸機２からの紙幣Ｓ２によって最上流側のプーリ２３１ａの無端丸ベルト１６１及び圧接ローラ２６１ａが覆われた状態にならない。従って、第１の通路Ａから搬送された紙幣Ｓ１が上記無端丸ベルト１６１と圧接ローラ２６１ａで確実に挟持されるため、紙幣詰まりが生じることがない。
【００５１】
また、上記ローラレール２６０には、搬送通路での紙幣詰まりをなくすことを目的とした種々の工夫が施されている。例えば、従来のローラレールにあっては、搬送面が平坦に形成されており、搬送面と圧接ローラ２６１ａの外周面との間に段差が生じていた。このため、従来の搬送面を有するローラレールにより紙幣を搬送する場合は、紙幣が搬送面に接触した状態で搬送されるので、圧接ローラ２６１ａに乗り上げるときに巻き込まれることがあり、紙幣詰まりの原因となっていた。また、新札のように腰のある紙幣のときは乗り越えるときに大きな音が発生して耳障りであった。
【００５２】
そこで、本実施形態では、ローラレール２６０の搬送面２６０ｄを、圧接ローラ２６１の軸着位置に於て、拡幅させると共に、緩やかな曲面形状を備える波型を適宜間隔をおいて形成すると共に、圧接ローラ２６１を越えた位置において急激な段部２６０ｅを介して縮幅させた。このため、先端がカールして圧接ローラ２６１側を向いた紙幣であっても、圧接ローラ２６１に巻き込まれることがなく、この圧接ローラ２６１を乗り越えるときに、騒音が発生しなくなる。
【００５３】
また、従来のローラレールに於ける受入部、即ちローラレールの後端部分は、長く滑らかな傾斜形状に形成してある（図１４（Ｄ）の一点鎖線参照）。しかし、この従来の形状では、紙幣Ｓ２の受渡しの際に、紙幣Ｓ２の先端がカールしていると、このカール部分が滑らかな傾斜面２６４によって逆方向へ誘導されるため、先端が隙間に入り込んで紙幣詰まりを起こしていた。
【００５４】
そこで、本実施形態は、搬送通路での紙幣詰まりをなくすことを目的としたもので、図１４に示すように、端部を比較的鋭角なカット面２６０ａとし、このカット面２６０ａに続く誘導面２６０ｂをローラレール２６０の基端面２６０ｃとほゞ平行に形成し、前記した搬送面２６０ｄに連絡した。
【００５５】
上記のようなローラレール２６０の受入部によれば、先端がカールした紙幣であっても隙間に入り込んで詰まることがない。また、隣接する紙幣搬送装置１０のジョイント部材３００とオーバーラップしている距離が短くても、紙幣を確実に搬送通路部２００に誘導することができるので紙幣詰まりが発生しない。しかも、オーバーラップさせるためにジョイント部材３００に設ける突出片３０１ａ，３０１ｂを小さく形成できるので、突出量が少なく、取り扱いが容易である。一方、従来装置のように、オーバーラップを大きく取るために突出片を大きく形成すると、大きく出っぱるので破損する危険が高く、取り扱いに細心の注意が必要で面倒であった。
【００５６】
また、本実施形態では、上記圧接ローラ２６１を付勢するバネ２６３を比較的弾性力の強いものとしてある。このため、新札を二つ折りにした場合のように、腰が強く且つ山形が圧接ローラ２６１に向いて搬送されても、圧接ローラ２６１の押圧が紙幣の腰に負けることがなく、このために起きる紙幣詰まりがない。
【００５７】
図１３に示すように第１基体ケース２１０ａの側壁２１１ａ及び第２基体ケース２１０ｂの側壁２１１ｂの下部内面には、互いに対向して紙幣の下縁部をガイドする下側搬送レール２７０ａ，２７０ｂがそれぞれ固定されている。
【００５８】
下側搬送レール２７０ａ，２７０ｂはそれぞれ上板２７１ａ、２７１ｂ及び下板２７２ａ、２７２ｂを有し、図１５（Ａ）に示すように下流側端部には次第に狭くなるように内方へ傾斜した傾斜部２７５ａ、２７５ｂを有している。また、この下側搬送レール２７０ａ、２７０ｂは透明部材で構成され、且つ、第１基体ケース２１０ａの側壁２１１ａ及び第２基体ケース２１０ｂの側壁２１１ｂの下部に設けた紙幣確認用窓２１７ａ，２１７ｂを通して、搬送通路部２００に於ける紙幣下部を外部から透視できるように構成している。
【００５９】
また、下側搬送レール２７０ａ、２７０ｂの上流側に、後述するジョイント部材３００が連結される場合にあっては、その上流側端部に修正板２８０ａ、２８０ｂが固定される。
【００６０】
上記修正板２８０ａ，２８０ｂは、図１２（Ｂ）や図１５（Ｂ）に示すように、上流側の紙幣搬送装置１０からの紙幣Ｓ１を受け入れてガイドするためのもので、上流側に向かって僅かに開くように傾斜したテーパー部２８１を有し、更にテーパー部２８１の下縁は、上流側に向かって上下の幅が漸減する傾斜切欠部２８２を備えたのは次の理由からである。
【００６１】
即ち、テーパー部２８１及び傾斜切欠部２８２部分が水平であると、上下角部にカールまたは角折れした紙幣が来ると、そのまま受入口から進入して紙幣詰まりを生じやすいが、この斜辺によって紙幣のカールまたは角折れした部分が起こされて平らにされ、その結果、紙幣詰まりが生じることがない。
【００６２】
上流側に、ジョイント部材３００が連結される場合にあって、下側搬送レール２７０ａ、２７０ｂに修正板２８０ａ、２８０ｂを設けたのは、遊技店（パチンコホール）ごとに搬送通路部２００、即ち、下側搬送レール２７０ａ、２７０ｂの長さが異なるため、その都度、テーパー部２８１及び傾斜切欠部２８２を備えた下側搬送レール２７０ａ、２７０ｂを製作するのは、時間的にも、また費用的にも大変である。そこで、ストート形状の長めの下側搬送レール２７０ａ、２７０ｂを用意しておき、必要な長さに切断して使用することができるようにしたためである。
【００６３】
図１３，図１６において、基体ケース２１０の上面には、開閉ケース２２０が着脱自在に取り付けられている。開閉ケース２２０の下縁部２２０ａには、複数のピン２２１が設けられていて、第１基体ケース２１０ａの上壁２１３ａの穴２１４ａ及び第２基体ケース２１０ｂの上壁２１３ｂの穴２１４ｂに上方から嵌入係合される。また、開閉ケース２２０の内側には、搬送通路部２００を搬送される紙幣の上縁部をガイドするガイド壁２２０ｂが設けられている。このガイド壁２２０ｂの形状は、図１５（Ａ）に示した下側搬送レール２７０ａ，２７０ｂと同一の形状となっている。
【００６４】
また、開閉ケース２２０は透明材で形成されているため、外部から搬送通路内の紙幣の正常な流れや紙幣詰まりなどの状況が開閉ケース２２０を開けなくても見える。
【００６５】
下側搬送レール２７０ａ，２７０ｂの各上板２７１ａ、２７１ｂと下板２７２ａ、２７２ｂとを連結する各垂直板２７３ａ，２７３ｂの下流側に開口された水平方向のガイド用切欠き２７４ａ，２７４ｂがそれぞれ設けられている（図１２参照）。また、第１基体ケース２１０ａ、第２基体ケース２１０ｂの側壁２１１ａ、２１１ｂの下流側の端部にも、前記ガイド用切欠き２７４ａ，２７４ｂと同一高さに於て下流側に開口された水平方向の切欠き２１５ａ、２１５ｂが設けられている。
【００６６】
また、搬送通路部２００の下流側には、ジョイント部材３００が移動自在に取り付けられている。ジョイント部材３００は、図１８ないし図２１に示すように、第１ジョイント部材３１０ａと、第２ジョイント部材３１０ｂと、ジョイント蓋３２０とから成っている。
【００６７】
第１ジョイント部材３１０ａ、第２ジョイント部材３１０ｂは対向するように側壁３１１ａ、３１１ｂと底壁３１２ａ、３１２ｂとを有する。側壁３１１ａ及び３１１ｂの内面から、紙幣を案内するための通路Ｃを形成する水平な上部ガイド板３１３ａ、３１３ｂと、下部ガイド板３１４ａ、３１４ｂが対向して突設されている。
【００６８】
上部ガイド板３１３ａ、３１３ｂ、下部ガイド板３１４ａ、３１４ｂは、図１９に示すように、上流側に大きく開口したテーパー部３１５、３１６を有して、紙幣を受け入れ易くすると共に、紙幣の受渡しがスムーズに行われるように、通路Ｃは下流側に向かって次第に幅を狭くしており、更に下部ガイド板３１４ａ、３１４ｂは下流側にくちばし状の突出片３０１ａ、３０１ｂを有している。この突出片３０１ａ、３０１ｂによって下流側の紙幣搬送装置１０とオーバーラップして紙幣を保持するため、確実に下流側の紙幣搬送装置１０に取り込ませることができる。
【００６９】
前記上部ガイド板３１３ａ、３１３ｂは、第１基体ケース２１０ａ及び第２基体ケース２１０ｂの上壁２１３ａ、２１３ｂに位置し、下部ガイド板３１４ａ、３１４ｂは、前記第１基体ケース２１０ａの側壁２１１ａ、第２基体ケース２１０ｂの側壁２１１ｂの各切欠き２１５ａ、２１５ｂ及び第１基体ケース２１０ａの下側搬送レール２７０ａの垂直板２７３ａの水平方向のガイド用切欠き２７４ａ、第２基体ケース２１０ｂの下側搬送レール２７０ｂの垂直板２７３ｂの水平方向のガイド用切欠き２７４ｂ内に位置し、固定された第１ジョイント部材３１０ａ、第２ジョイント部材３１０ｂは搬送方向に一定の範囲内で摺動自在に、且つ着脱自在に取り付けられている。
【００７０】
第１ジョイント部材３１０ａ、第２ジョイント部材３１０ｂの下流側の端面には、隔台タイプにあっては下流側の紙幣搬送装置１０の搬送通路部２００の穴２１６ａ、２１６ｂまた全台タイプにあってはフレーム１１０の側壁１１１ａ、１１１ｂの穴１１３に挿入するための複数の接続ピン３１７ａ、３１７ｂが水平方向に突設されている。
【００７１】
また、図１９に示すように、ジョイント部材３００の第１ジョイント部材３１０ａ、第２ジョイント部材３１０ｂの各側壁３１１ａ、３１１ｂの上流側には、下部ガイド板３１４ａ、３１４ｂと同一高さに於て、対向して一対の投光器４００ａと受光器４００ｂが取り付けられていて、搬送されて来た紙幣で遮光されると、受光器４００ｂから紙幣検知信号が出力される。この紙幣検知信号が出力されると、前記第２の通路Ｂに進入した紙幣Ｓ２がそれ以上進入しないように紙幣Ｓ２を玉貸機２の紙幣識別機内で挟持している。このため、駆動ローラ１６０ａ、１６０ｂ、送りローラ１６４が回転していても、紙幣Ｓ２は搬送されず、紙幣Ｓ１が通過するまで一定時間待機するようになっているため、重なって搬送されない。
【００７２】
このようにジョイント部材３００の第１ジョイント部材３１０ａ、第２ジョイント部材３１０ｂに投光器４００ａ、受光器４００ｂを取り付けると、隣り合う２台の玉貸機２、２間の間隔が異なっても、その間隔に応じてジョイント部材３００を摺動させるから、上流側の紙幣搬送装置１０から送られて来る紙幣Ｓ１は常に一定の距離で検知され、玉貸機２からの紙幣Ｓ２の待機を常に一定のタイミングで行わせることができる。また、図１８に示すように、ジョイント部材３００の第１ジョイント部材３１０ａ、第２ジョイント部材３１０ｂの底壁３１２ａ，３１２ｂの下流側端部には、上方に向けて傾斜した傾斜部３１８が設けられている。また、ジョイント部材３００の第１ジョイント部材３１０ａ、第２ジョイント部材３１０ｂの上端面には、ジョイント蓋３２０を摺動自在に取り付けるための係合突片３１９ａ、３１９ｂが突設されている。
【００７３】
ジョイント蓋３２０は、図２０，図２１に示すように、側壁３２１と上壁３２２とを有し、側壁３２１の下端には、前記第１ジョイント部材３１０ａ、第２ジョイン部材３１０ｂの係合突片３１９ａ、３１９ｂにそれぞれ摺動自在に係合する係合爪３２３が突設されている。
【００７４】
ジョイント蓋３２０の側壁３２１の内面からは、対向した水平なガイド片３２４が突設されている。このガイド片３２４が、前記開閉ケース２２０の切欠き２２２に位置している。また、ジョイント蓋３２０の上壁３２２には搬送方向に沿ってガイド長穴３２５が設けられ、このガイド長穴３２５には、開閉ケース２２０の下流側の端部に設けられたストッパ２２３が位置して、開閉ケース２２０に対してジョイント蓋３２０は、このストッパ２２３で制限される範囲で摺動自在に取り付けられている。
【００７５】
従って、第１ジョイント部材３１０ａ、第２ジョイント部材３１０ｂ及びジョイント蓋３２０は、一体的に基体ケース２１０（第１基体ケース２１０ａ、第２基体ケース２１０ｂ）及び開閉ケース２２０の端部に対して摺動できると共に、ジョイント蓋３２０の係合爪３２３が第１ジョイント部材３１０ａ、第２ジョイント部材３１０ｂの係合突片３１９ａ，３１９ｂから外れるまで摺動させることによって、開閉ケース２２０を基体ケース２１０から取り外すことができる。
【００７６】
ジョイント蓋３２０の上壁３２２の内面で下流側端部には、下方に向かって傾斜した傾斜部３２６が設けてある。この傾斜部３２６及び前記した第１ジョイント部材３１０ａ、第２ジョイント部材３１０ｂにそれぞれ設けた傾斜部３１８により、下流側の紙幣搬送装置１０の搬送通路部２００もしくは合流搬送駆動部１００とが完全に水平にならずに多少の高さの差がある場合でも、下流側の紙幣搬送装置１０の受入口方向に紙幣をガイドすることができ、連結部に於て紙幣が引っ掛ったりすることがなく、その結果、紙幣詰まりを生じることなく円滑に紙幣の搬送が行われる。
【００７７】
そして、本発明に係る紙幣搬送装置１０は、図２３のように、ジョイント蓋３２０の下流側先端には該ジョイント蓋３２０を含めた開閉ケース２２０を固定または解放操作自在に成す旋錠装置５００の本体部５２０を設ける。この本体部５２０には鍵穴５２１が設けられており、この鍵穴５２１に抜き差し自在な鍵５３０を操作することにより、本体部５２０と前記ギヤカバー１８０に設けた係止部５１０との係止状態に於いて、開閉ケース２２０の解放が抑止される。即ち、ジョイント蓋３２０の上流側への摺動が規制されると同時に、この状態にて隣合う紙幣搬送装置１０，１０同士が連結される。
【００７８】
施錠装置５００の本体部５２０には、係止部５１０を受け入れると共に、係合可能な係合切欠５２２を設けたスライド部材５２３が収設してある。このスライド部材５２３はバネ５２４によって一方向に付勢してあり、挿入した係止部５１０の係合段部５１１に係合切欠５２２の係合爪５２２ａが係合する。また、上記スライド部材５２３は、図示していないロック部材によって、鍵５３０を用いてロック可能に構成してある。即ち、鍵５３０を鍵穴５２１に挿入して旋回すると、ロック部材がスライド部材５２３の摺動を不能にし、開閉ケース２２０の開放を抑止する。
【００７９】
この抑止状態が解除されると、開閉ケース２２０の取り外しが可能となり、搬送通路部２００の一部が解放される。尚、鍵５３０を使用せず、ロック部材によるスライド部材５２３の摺動を許可した状態では、係止部５１０と本体部５２０が係止されていても、本体部５２０を矢印Ｘ方向にスライドさせれば、係止状態は簡単に解除される。
【００８０】
以上は、図２に示すように全台タイプの紙幣搬送装置１０にて、説明を行ったが、隔台タイプに於いては、図２２のようにギヤカバー１８０に設けた係止部５１０を上流側の搬送通路部２００の開閉ケース２２０に設けてある。
【００８１】
図２５，図２６に他の旋錠装置６００の実施形態を示す。この実施形態は、搬送通路部２００を外側から挟み込む挟持片６１０、６２０と、少なくともどちらか一方の挟持片６１０、６２０を、鍵７００の操作と連動して動くカム片６３０によって所定範囲、回動自在に成し、着脱自在な旋錠装置６００を構成したものである。
【００８２】
更に詳細に説明すると、挟持片６１０、６２０の下端部は鈎状に折れ曲がった、屈曲部６１１、６２１が形成されており、この屈曲部６１１、６２１が前記搬送通路部２００内の紙幣の正常な流れや、紙幣詰まりなどを外部から確認するために、基体ケース２１０の第１基体ケース２１０ａ、第２基体ケース２１０ｂに設けた紙幣確認用窓２１７ａ，２１７ｂに係止する。従って、この係止状態に於いて、開閉ケース２２０はその解放を抑止される。この時、どの紙幣確認用窓２１７ａ，２１７ｂに旋錠装置６００をセットしても良い。即ち、遊技台１の背面にセットされた各紙幣搬送装置１０の搬送通路部２００の任意の位置に、作業性の良い位置を選んでこの旋錠装置６００をセットすることができる。尚、図示の実施形態では、屈曲部６１１、６１２を紙幣確認用窓２１７ａ，２１７ｂに係止させているが、屈曲部６１１、６１２を基体ケース２１０の下縁角部に直接係止させるようにしてもよい。この場合も任意の位置にセットできる。
【００８３】
次に、開閉ケース２２０を取り外す時、即ち詰まり紙幣を回収するために搬送通路部２００を解放する場合は、鍵７００の操作にて連動するカム片６３０を回動させる。この操作にて該カム片６３０の突部６３０ａが蝶番６４０に固定されている挟持片６２０の内面６２０ａに当接し、該挟持片６２０を所定範囲、上方に押し上げ、挟持片６２０の屈曲部６２１と紙幣確認用窓２１７ｂとの係止状態を解除する。この結果、この旋錠装置６００は着脱が可能となり、開閉ケース２２０を取り外して、詰まり紙幣を除去できる。
【００８４】
尚、上記のような施錠装置６００は、特に必要がない遊技店にあっては、購買する必要が無く、設備費の削減が可能である。
【００８５】
本発明に於ける施錠装置は、上述した図２３及び図２４の旋錠装置５００や図２５及び図２６の旋錠装置６００の旋錠装置に限定されるものではない。例えば、島端の端部に設けた旋錠システム装置の操作により各紙幣搬送装置に設けた旋錠装置が自動開放するように構成することもできる。つまり、旋錠システム装置には各紙幣搬送装置の番号が決められており、開閉したい番号を開操作すると、その紙幣搬送装置の旋錠装置に指令が伝達され、その指定した紙幣搬送装置のみが開放するようになっていることで、一々鍵をもたず楽に開放操作を行うことができる。尚、鍵を掛ける際も、上記施錠システム装置によって鍵をもたずに行なう。
【００８６】
また、旋錠装置５００について、先の実施形態の説明では、各紙幣搬送装置１０の端部に当該施錠装置５００を設け、この旋錠装置５００をそれぞれ鍵５３０により開閉するようになっているが、鍵５３０による開閉操作は面倒である。そこで、施錠装置５００の本体部５２０にリモコン操作により解錠及び施錠可能にするための受光部（図示せず）を設け、リモコン操作で解錠したり、施錠すると、鍵５３０による操作の手間が除ける。尚、このようなリモコン操作は、前記した旋錠装置６００についても同様に可能である。
【００８７】
次に、紙幣搬送装置１０の島への取付方法について説明する。紙幣搬送装置１０は、図３或は図２９に示すように、背中合わせに列設した遊技台１及び各遊技台１の間に配置した玉貸機２が構成する島に配置する。
【００８８】
島には、遊技台１を載せる載置台８００が形成されると共に、玉貸機２を取り付けるための取付フレーム８０１が設けてある。そして、この取付フレーム８０１に対して紙幣搬送装置１０を取り付ける。このため、本発明に係る紙幣搬送装置１０には、取付金具８１０がビス８１１によって止着してある。尚、この取付金具８１０は、図３２に示すように、紙幣搬送装置１０の合流搬送駆動部１００を玉貸機の紙幣投入機２１に臨ませるための連通窓８１２が開設してある。
【００８９】
そして、上記取付金具８１０に対して取付フレーム８０１に通して止めネジ８０２を締着することによって、紙幣搬送装置１０を島内に固定する。ところで、島の幅は、遊技店の設計によって個々に変化する。そこで、従来から取付金具８１０と取付フレーム８０１との間にスペーサを介在させている。
【００９０】
しかしながら、従来のスペーサは、単に厚さの異るものを重ねているだけであるので、取り扱いが不便で作業性が悪かった。また、スペーサの一端面に係止爪を設けると共に他端面に係止穴を設け、これらの係止爪と係止穴とを係止させて連結するようにしたものがあるが、連結時に係止爪が破損し易く、取り扱いに気を使わなければならず、作業性が悪いばかりではなく、とても実用にならないものであった。
【００９１】
そこで、図面に示す実施形態においては、遊技店の島内に取り付け易い紙幣搬送装置を提供することを目的として、スペーサ８３０の一端面に、先端に係止爪８３１を有する一対の脚部８３２を延設すると共に、他端面に上記脚部８３２を挿通可能な係止穴８３３を開設した。また、上記係止爪８３１が係止する係止面８３４、即ちスペーサ８３０の内端面を徐々に厚肉になるテーパー形状とした（図３３参照）。
【００９２】
上記のような構成のスペーサ８３０を連結するには、脚部８３２を係止穴８３３に挿入して係止爪８３１が係止面８３４を登る方向に回転させる。すると、係止爪８３１がテーパー状の係止面８３４に圧接して当該スペーサ８３０が連結される。尚、図示のスペーサ８３０は、外周面の一部に滑り止めの溝８３５が形成してあり、回転させるときに握り易くなっている。
【００９３】
一方、スペーサ８３０の連結を外すには、上記と逆方向に回転させて係止爪８３１と係止面８３４との圧接を解き、係止穴８３３から脚部８３２を引き抜けばよい。
【００９４】
上記のような構造を有する厚さの異る複数種類のスペーサ８３０ａ，８３０ｂ，８３０ｃを用意し、所望の間隔になるように連結する。このようなスペーサ８３０…によれば、連結分解が容易であるばかりではなく、連結したスペーサ８３０…を一体のスペーサとして取り扱えるので、作業性が著しく向上する。尚、図示の実施形態では、３種類のスペーサ８３０…を用意しているが、更に多くのスペーサを用意してもよい。
【００９５】
また、前記した取付金具８１０には、上記スペーサ８３０の脚部８３２を挿入可能あると共に、接合面をスペーサ８３０の係止面８３４と同様なテーパー形状にした一対の連結穴８４１が開設してある。そして、図示の取付金具８１０は、上方に設けた連結穴８４１及び中央のネジ穴８４２を上下二段に形成し、取付フレーム８０１に開設した取付穴の間隔が異る場合にも対応できるようになっている。また、図２９には、紙幣搬送装置１０の下方に、硬貨を搬送する硬貨搬送装置９０が描いてある。
【００９６】
尚、本発明の紙幣搬送装置の構成は、硬貨を含めた貨幣、遊技媒体としてのメダル、或は有価価値を記憶させた所謂プリペイドカード等の搬送装置として容易に適用できる。
【図面の簡単な説明】
【００９７】
【図１】本発明の隔台タイプの紙幣搬送装置の一実施形態を示す斜視図である。
【図２】本発明の全台タイプの紙幣搬送装置の一実施形態を示す斜視図である。
【図３】図１の実施形態の使用状態を示す概略平面図である。
【図４】図１の実施形態に於ける合流搬送駆動部を示す説明図である。
【図５】図４に示す合流搬送駆動部の第１の受入れガイド部材を示す正面図である。
【図６】図４に示す合流搬送駆動部に於ける第１の通路の動作説明図である。
【図７】図４に示す合流搬送駆動部の第１の受入れガイド部材の機能を示す正面図である。
【図８】図４に示す合流搬送駆動部の第２の受入れガイド部材を示す正面図である。
【図９】図４に示す合流搬送駆動部に於ける第２の通路の動作説明図である。
【図１０】モータユニットを示す分解斜視図である。
【図１１】本発明の隔台タイプの紙幣搬送装置の一実施形態を示す平面図である。
【図１２】本発明の隔台タイプの紙幣搬送装置の一実施形態を示し、（Ａ）は平面図、（Ｂ）は開放状態の正面図である。
【図１３】搬送通路部の断面図である。
【図１４】（Ａ）はローラレールの斜視図、（Ｂ）は第２基体ケースを開いた状態の正面図、（Ｃ）は受入部の拡大図、（Ｄ）は接続状態の平面図である。
【図１５】（Ａ）は下側搬送レールを示す説明図、（Ｂ）は修正板を示す平面図である。
【図１６】開閉ケースを示す側面図である。
【図１７】開閉ケースを示す底面図である。
【図１８】ジョイント部材を示す側面図である。
【図１９】ジョイント部材の第１ジョイント部材、第２ジョイント部材の平面図である。
【図２０】ジョイント部材のジョイント蓋の平面図である。
【図２１】ジョイント部材のジョイント蓋の底面図である。
【図２２】ギヤカバーを示す斜視図である。
【図２３】旋錠装置の一実施形態を示す斜視図である。
【図２４】同上の施錠装置の一部を欠截した平面図である。
【図２５】旋錠装置の他の実施形態を示す分解斜視図である。
【図２６】（Ａ）は図２５の旋錠装置の組立状態の斜視図、（Ｂ）は取付状態の斜視図である。
【図２７】図１に示す紙幣搬送装置の連結状態を示す斜視図である。
【図２８】図２に示す紙幣搬送装置の連結状態を示す斜視図である。
【図２９】紙幣搬送装置を設けた島の説明図である。
【図３０】紙幣搬送装置の島に対する取付状態を示す概略説明図である。
【図３１】紙幣搬送装置の取付部分の正面図である。
【図３２】（Ａ）は取付金具の斜視図、（Ｂ）はスペーサを取り付けた状態の斜視図である。
【図３３】スペーサの説明図で、（Ａ）は左側面図、（Ｂ）は正面図、（Ｃ）は右側面図、（Ｄ）は連結状態の断面図である。
【符号の説明】
【００９８】
１０     紙幣搬送装置
１００   合流搬送駆動部
１１０   中空長方形フレーム
１２０   第１の受入れガイド部材
１２６   受入ガイド
１３０   第２の受入れガイド部材
１４０   モータユニット
１６０ａ 駆動ローラ
１６４   送りローラ
１８０   ギヤカバー
２００   搬送通路部
２１０   基体ケース
２２０   開閉ケース
２３０   プーリレール
２６０   ローラレール
３００ ジョイント部材
５００、６００ 旋錠装置
８３０ スペーサ
【図１】
2006160527.tif 000003
【図２】
2006160527.tif 000004
【図３】
2006160527.tif 000005
【図４】
2006160527.tif 000006
【図５】
2006160527.tif 000007
【図６】
2006160527.tif 000008
【図７】
2006160527.tif 000009
【図８】
2006160527.tif 000010
【図９】
2006160527.tif 000011
【図１０】
2006160527.tif 000012
【図１１】
2006160527.tif 000013
【図１２】
2006160527.tif 000014
【図１３】
2006160527.tif 000015
【図１４】
2006160527.tif 000016
【図１５】
2006160527.tif 000017
【図１６】
2006160527.tif 000018
【図１７】
2006160527.tif 000019
【図１８】
2006160527.tif 000020
【図１９】
2006160527.tif 000021
【図２０】
2006160527.tif 000022
【図２１】
2006160527.tif 000023
【図２２】
2006160527.tif 000024
【図２３】
2006160527.tif 000025
【図２４】
2006160527.tif 000026
【図２５】
2006160527.tif 000027
【図２６】
2006160527.tif 000028
【図２７】
2006160527.tif 000029
【図２８】
2006160527.tif 000030
【図２９】
2006160527.tif 000031
【図３０】
2006160527.tif 000032
【図３１】
2006160527.tif 000033
【図３２】
2006160527.tif 000034
【図３３】
2006160527.tif 000035